(57)【特許請求の範囲】
【請求項１】
光コネクタフェルール（１２）を先端に収納するスリーブ状のコネクタハウジング（１１）の内部に、該コネクタハウジングに固定されたスプリング押し（１６）と、このスプリング押しに反力をとって前記光コネクタフェルールを前記コネクタハウジングの先端から突出させる方向に付勢するスプリング（１５）とを収納し、前記コネクタハウジングの外側に接続方向前後にスライド移動自在に設けられたカップリング（１３）が設けられた光コネクタにおいて、
前記コネクタハウジングの側壁に穴（２５）が形成され、この穴を介して前記コネクタハウジングの外側から見える前記スプリング押し自体の色あるいは前記スプリング押しに設けた着色部によって、接続方向性等を示す表示（１０ａ）が形成され、
前記コネクタハウジングの前記穴に位置する部分に、該コネクタハウジングの内面側を窪ませた形状の凹所（１１ｄ）が形成され、前記スプリング押しの前記凹所に挿入され前記コネクタハウジングの外側から前記穴を介して見える部分（１６ｄ）が、前記表示を形成しており、
前記コネクタハウジングの凹所に相当する部分（１１ｃ）は、側壁を外側に拡張した形状であることを特徴とする光コネクタ（１０、２８）。
【請求項２】
前記穴を介して見える部分の前記スプリング押しは、前記凹所に挿入嵌合可能な突壁であることを特徴とする請求項１に記載の光コネクタ。
【発明の詳細な説明】
【０００１】
【発明の属する技術分野】
本発明は、光コネクタに係り、特に、接続方向性等を示す表示を有する光コネクタに関するものである。
【０００２】
【従来の技術】
従来、光コネクタプラグにあっては、コネクタハウジングへの印刷等によって、接続方向性等を示す表示を設けていた。
図７は、ＪＩＳ  Ｃ  ５９８２に制定されるいわゆるＭＰＯ形光コネクタプラグ（ＪＩＳ  Ｃ  ５９８１に制定されるＭＴ形光コネクタフェルール６をプラスチック製のコネクタハウジングの先端に収納した構成の光コネクタプラグ）の一例を示す。
【０００３】
図７中、１は光コネクタ（ＭＰＯ光コネクタプラグ）、２はコネクタハウジング、３はカップリング、４はブーツ、５は光ファイバ、６は光コネクタフェルールである。光コネクタフェルール６は、多心のＭＴ形光コネクタフェルールであり、その接合端面６ａに、複数本の裸ファイバ５ａが一列に配列されている。
前記光コネクタ１は全体が外観扁平に形成されており、この光コネクタ１が挿入接続される光コネクタアダプタ７のコネクタ穴８も、光コネクタ１に対応して扁平形状になっている。このような光コネクタ１の場合、光コネクタアダプタ７に対する接続方向性が問題となる。つまり、光コネクタアダプタ７に対する光コネクタ１の挿入向きが逆向き（逆差し）、すなわち、図７において、該光コネクタ１を厚さ方向の逆向きの面（図７中、下側に隠れている面）を上側として誤挿入することを防止するために、通常、コネクタハウジング２の側面に表示９（トレーサーマーク）を印刷により形成し、この表示９の位置を確認することで、正しい向きで接続作業を行えるようにしている。やや詳細には、光コネクタアダプタ７に対する挿入向きが逆向きであると、光コネクタフェルール６接合端面６ａに一列に配列されている裸ファイバ５ａの配列順が逆になり、接続される光回線が逆になってしまう。そこで、この光コネクタ１では、コネクタハウジング２の側面に形成した表示９が所定の方向を向く挿入向き（図７においては表示９が紙面手前となる向き）であることを確認することで、正しい挿入向きで光コネクタアダプタ７に挿入、接続できるようになっており、逆差しを防止している。前記表示９は、光コネクタアダプタ７に対して目視で識別容易な色彩で形成することが一般的である。
【０００４】
【発明が解決しようとする課題】
ところで、前述のように、印刷により形成される表示９では、接続作業による磨耗で消えてしまうといった問題があった。また、表示９の形成コストが高く付く（コネクタハウジング２の成形コストよりも印刷コスト方が高いケースが多々有る）といった問題がある。ＭＰＯ形光コネクタ１は、コネクタハウジング２に突設されているキー２ａと、光コネクタアダプタ７側のキー溝との関係によって、逆差しが防止されているが、前記表示９が見えにくくなると、逆差しの向きで無理に押し込み操作を行ってコネクタハウジング２や光コネクタアダプタ７を傷めてしまう可能性がある。
【０００５】
本発明は、前述の課題に鑑みてなされたもので、コネクタハウジングに形成した穴を介して外側から見ることができるコネクタハウジング内の収納部品自体の色を表示として機能させることにより、長期の使用によっても、接続方向性等を明瞭に示すことができる光コネクタを提供することを目的とする。
【０００６】
【課題を解決するための手段】
請求項１記載の発明では、光コネクタフェルールを先端に収納するスリーブ状のコネクタハウジングの内部に、該コネクタハウジングに固定されたスプリング押しと、このスプリング押しに反力をとって前記光コネクタフェルールを前記コネクタハウジングの先端から突出させる方向に付勢するスプリングとを収納し、前記コネクタハウジングの外側に接続方向前後にスライド移動自在に設けられたカップリングが設けられた光コネクタにおいて、前記コネクタハウジングの側壁に穴が形成され、この穴を介して前記コネクタハウジングの外側から見える前記スプリング押し自体の色あるいは前記スプリング押しに設けた着色部によって、接続方向性等を示す表示が形成され、前記コネクタハウジングの前記穴に位置する部分に、該コネクタハウジングの内面側を窪ませた形状の凹所が形成され、前記スプリング押しの前記凹所に挿入され前記コネクタハウジングの外側から前記穴を介して見える部分が、前記表示を形成しており、前記コネクタハウジングの凹所に相当する部分は、側壁を外側に拡張した形状である光コネクタである。
請求項２記載の発明は、前記穴を介して見える部分の前記スプリング押しは、前記凹所に挿入嵌合可能な突壁である光コネクタである。
【０００７】
この発明によれば、光コネクタの接続方向性等を示す表示は、コネクタハウジング内の収納部品（スプリング押し）自体の色やこの部品に設けた着色部等からなることから、ハウジングによって保護されることで、接続作業による摩擦、磨耗等の影響を受けず、長期にわたって接続方向性等を示す機能を果たす。コネクタハウジングの側壁に形成した穴を介してコネクタハウジング外側から前記表示を視認することで、この光コネクタの接続方向性等を知ることができる。表示としては、低コスト化の点では、ハウジング内の部品自体の色、例えば部品を形成する素材の色を利用することが有利である。別途、部品に設ける着色部としては、印刷、塗料の塗布や注入、色付き部品の取り付け、埋め込み等、各種構成が採用可能であるが、より低コスト化を実現できるものを採用することが好ましい。
【０００８】
【発明の実施の形態】
以下、本発明の１実施の形態を図面を参照して説明する。
なお、図中、図７と同一の構成部分には同一の符号を付し、その説明を簡略化する。
この実施の形態の光コネクタ１０は、ＪＩＳ  Ｃ  ５９８２に制定されるいわゆるＭＰＯ形光コネクタプラグ（ＪＩＳ  Ｃ  ５９８１に制定されるＭＴ形光コネクタフェルール１２をプラスチック製のコネクタハウジング１１の先端に収納した構成の光コネクタプラグ）の適用例である。図１はこの光コネクタ１０の組み立て状態を示す図であって、（ａ）は部分破断図、（ｂ）は接続方向先端側（図１（ａ）中左側）から見た図である。図２（ａ）は前記光コネクタ１０を示す外観平面図、（ｂ）は側面図、図３は分解図である。図１（ａ）、（ｂ）から図３中、符号１３はカップリング、１４はピンクランプ、１５はスプリング、１６はスプリング押し、１７はカシメリング、１８はブーツである。
【０００９】
この光コネクタ１０は、スリーブ状のコネクタハウジング１１と、このコネクタハウジング１１の接続方向先端に該コネクタハウジング１１の中心軸線方向に若干の移動を許容して収納保持された光コネクタフェルール１２と、前記コネクタハウジング１１の外側に前後（接続方向前後。図１（ａ）中左右）にスライド移動自在に設けられたカップリング１３と、前記コネクタハウジング１１の内部に固定されたスプリング押し１６と、前記コネクタハウジング１１の内部に収納され、前記スプリング押し１６に反力を取って前記光コネクタフェルール１２を接続方向前方に付勢するスプリング１５と、コネクタハウジング１１の後端（接続方向後端）側に設けられたブーツ１８とを備えている。
【００１０】
前記光コネクタフェルール１２は光ファイバ２１を突き合わせ接続可能に成端するものである。本実施の形態において、前記光ファイバ２１は、多心光ファイバテープ心線であり、光コネクタフェルール１２の接合端面１２ａには、多心の前記光ファイバ２１の複数本の裸ファイバ２１ａが一列に配列して固定されている。
この光コネクタフェルール１２は、通常時は、前記スプリング１５の付勢力によりコネクタハウジング１１先端から接合端面１２ａ近傍が突出した状態になっているが、押し込み力によって、若干、コネクタハウジング１１の奥側、すなわち、接続方向後端側に押し込み可能になっている。なお、光コネクタフェルール１２は、後端側にフランジ状に突出された鍔部１２ｂが、コネクタハウジング１１先端部に形成されたストッパ２０に突き当たることで、それ以上の接続方向前方への移動が規制されるから、コネクタハウジング１１先端から抜け出ることは無い。
但し、本実施の形態の光コネクタ１０では、光コネクタフェルール１２に貫通されたピン穴に挿入嵌合されたガイドピン１９を固定するピンクランプ１４が光コネクタフェルール１２の接合端面１２ａに対向する後端側に取り付けられており、前記スプリング１５の付勢力は、前記ピンクランプ１４を介して光コネクタフェルール１２に作用する。ガイドピン１９挿入嵌合を省略する場合は、ピンクランプ１４も不要であり、この場合には、スプリング１５の付勢力を直接、光コネクタフェルール１２に作用させるようにする。
【００１１】
前記ガイドピン１９は、その先端が光コネクタフェルール１２の接合端面１２ａから突出するようにして設けられ、光コネクタフェルール１２同士を接合端面１２ａを接合させて突き合わせ接続する際に、接続する相手側の光コネクタ（光コネクタプラグ）の光コネクタフェルール１２のピン穴に挿入嵌合されることで、光コネクタフェルール１２同士を精密に位置決めする。相手側の光コネクタの光コネクタフェルール１２にはガイドピンを突出させず、ピン穴を開放状態にしておく。つまり、接合端面１２ａにガイドピン１９が突出された光コネクタフェルール１２を備える光コネクタ１０を雄側光コネクタプラグ、ピン穴がガイドピン１９を挿入していない空の状態になっている光コネクタフェルール１２を備える光コネクタを雌側光コネクタプラグとして、雄側光コネクタプラグの光コネクタフェルール１２に突出されているガイドピン１９を、雌側光コネクタプラグの光コネクタフェルール１２のピン穴に挿入嵌合することで、光コネクタフェルール１２同士が精密に位置決めされた状態で接合されて光コネクタプラグ同士が接続され、光ファイバ２１同士が光接続される。
なお、例えば、光コネクタ１０において、ピンクランプ１４およびガイドピン１９を省略すると、前記雌側光コネクタプラグが得られる。この雌側光コネクタプラグは、光コネクタアダプタ７（図７参照）等の雌形光コネクタを介して光コネクタ１０と接続される。
【００１２】
前記光ファイバ２１は、光ファイバコード２２の端末に露出されたものであり、コネクタハウジング１１内に挿通される。図５に示すように、スプリング押し１６は、コネクタハウジング１１に係合するための係合爪１６ｂが対向する両側に突設された概略スリーブ状に形成されており、前記スプリング１５はコイルスプリングであり、前記光ファイバ２１は、これらスプリング押し１６およびスプリング１５の内側を貫通させてコネクタハウジング１１内に挿通される。
【００１３】
図１（ａ）、（ｂ）〜図５に示すように、前記スプリング押し１６は、スリーブ状の本体部１６ａ（図５参照）と、この本体部１６ａの中心軸線方向一端部の対向する両側部から突設された係合爪１６ｂと、中心軸線方向他端部に突設されたスリーブ状の抗張力体固定部１６ｃとを備えた構成であり、前記一対の係合爪１６ｂを、コネクタハウジング１１の中心軸線方向中央部に形成された係合部１１ａ（ここでは穴。図１（ａ）、図４（ａ）、（ｂ）参照）に係合させ、前記本体部１６ａの対向する両側部に突設された突壁１６ｄを、前記コネクタハウジング１１の側壁の後端部を外側に拡張した形状の後端側壁１１ｃの内側に形成された凹所１１ｄに嵌合することで、前記係合爪１６ｂと前記突壁１６ｄとの間に、前記コネクタハウジング１１の前記係合部１１ａから前記凹所１１ｄにわたって延在する嵌合壁１１ｅが嵌合されて、コネクタハウジング１１に対してしっかりと固定される。
【００１４】
スプリング押し１６の抗張力体固定部１６ｃは、前記コネクタハウジング１１の前記後端側壁１１ｃからさらに接続方向後側に突出され、コネクタハウジング１１によって覆われない。
光ファイバコード２２は、その端末に露出された抗張力体２３（ケブラ）を、前記抗張力体固定部１６ｃとその外側にカシメ固定されるカシメリング１７との間に固定することで、光コネクタ１０に対して引き留められる（詳細にはスプリング押し１６を介してコネクタハウジング１１に対して引き留められる）。
【００１５】
ブーツ１８はゴム等の柔軟性を有する素材から形成され、前記スプリング押し１６の、前記コネクタハウジング１１の前記後端側壁１１ｃからさらに接続方向後側に突出された部分に固定することで、前記カシメリング１７による抗張力体２３の固定部分や、光ファイバコード２２端末を収納保護する。
ブーツ１８は、具体的には、コネクタハウジング１１に固定されたスプリング押し１６において、前記突壁１６ｄの後側（接続方向後側。図１（ａ）右側、図２右側、図５右上奥側）を切り込んだ形状の固定用凹所１６ｅに係合させて固定される。
【００１６】
前記コネクタハウジング１１の接続方向先端部の両側外面に形成されている係合凹所１１ｂは、この光コネクタ１０が挿入、接続される光コネクタアダプタ７（図７参照）等の雌形光コネクタの係合爪（図示略）が係脱可能に係合されるものである。
前記カップリング１３は、コネクタハウジング１１の外側に設けられたカップリング用スプリング２３（図１（ａ）参照）によって接続方向前方に付勢されており、通常時は、前記係合凹所１１ｂを外側から覆う位置にある（以下「通常位置」）。この通常位置では、コネクタハウジング１１の係合凹所１１ｂに係合されている雌形光コネクタ２５側の係合爪の係合解除を防止できる。カップリング１３を、前記カップリング用スプリング２３の付勢力に抗して接続方向後端側にスライド移動させると、前記係合凹所１１ｂを露出できる（以下「後方スライド位置」）。この後方スライド位置では、コネクタハウジング１１の係合凹所１１ｂに係合されている雌形光コネクタ２５側の係合爪の離脱が許可され、係合を解除できる。
【００１７】
ところで、前記コネクタハウジング１１は、光コネクタフェルール１２の長方形状の接合端面１２ａの長手方向に沿った方向を長軸とする、断面扁平のスリーブ状に形成されており、カップリング１３やスプリング押し１６も断面扁平のスリーブ状になっており、この光コネクタ１０の外観は全体的に扁平形状になっている。光コネクタアダプタ７等の雌形光コネクタに対する光コネクタ１０の挿入向きを、光コネクタ１０の表裏（厚さ方向一方の面が表側、他方の面が裏側）で逆にすると、前記光コネクタフェルール１２の接合端面１２ａに配列された光ファイバ（裸ファイバ２１ａ）の雌形光コネクタ側の光回線に対する接続が逆の関係になる。
【００１８】
この光コネクタ１０では、コネクタハウジング１１の内部に収納した部品であるスプリング押し１６を、前記コネクタハウジング１１の側壁の後端部を外側に拡張した形状の後端側壁１１ｃ（後端側壁１１ｃもコネクタハウジング１１の側壁を構成する）の一側部に開口された穴２５を介して外側から目視可能になっており、この穴２５を介してスプリング押し１６が見える側を予め決めておいた所定の向き（正しい挿入向き）に向けて、光コネクタアダプタ等の雌形光コネクタ２５に挿入することで、正しく接続することができる。前記スプリング押し１６の少なくとも前記穴２５を介して外側から見える部分は、コネクタハウジング１１と異なる色に形成されており、コネクタハウジング１１に対して目視で識別容易な表示を形成している。したがって、この表示の側が所定の方向に向くようにして、光コネクタ１０を雌形光コネクタ２５に挿入接続することで、雌形光コネクタ２５に対して光コネクタ１０を正しい向きで接続できるのである。
前記穴２５は、カップリング１３が通常位置にある場合には、外側に露出する位置になっている。
【００１９】
具体的には、コネクタハウジング１１を、形成樹脂特有の色あるいは混入顔料等によって黒色等の暗い色に形成し、スプリング押し１６を形成樹脂特有の色あるいは混入顔料等によって白色等の明るい色に形成する。図１（ａ）、（ｂ）〜図４（ａ）、（ｂ）に示すように、コネクタハウジング１１の後端側壁１１ｃは、コネクタハウジング１１の他の部分と同様に、光コネクタフェルール１２の接合端面１２ａの長手方向に沿った方向を長軸とする断面扁平のスリーブ状に形成されており、前記穴２５は、後端壁部１１ｃの断面扁平の長軸方向の一方の側部にのみ開口されており、この後端壁部１１ｃの内側の凹所１１ｄに挿入嵌合されたスプリング押し１６、詳細にはスプリング押し１６の前記凹所１１ｄに挿入嵌合された突壁１６ｄが、穴２５を介して外側から目視確認できるようになっている。前述のように、スプリング押し１６は、コネクタハウジング１１に対して区別しやすい色で形成されているから、穴２５を介してスプリング押し１６（詳細には突壁１６ｄ）を明瞭に目視確認することができ、この目視確認できる部分が、この光コネクタ１０の表裏の接続方向性を示す表示（トレーサーマーク）として機能する。前記突壁１６ｄは、コネクタハウジング１１内の収納部品であるスプリング押し１６の、前記凹所１１ｄに挿入されて前記コネクタハウジングの外側から前記穴２５を介して見える部分であり、表示を形成する。しかも、この光コネクタ１０では、凹所１１ｄにスプリング押し１６の突壁１６ｄが挿入嵌合される構成により、スプリング押し１６がコネクタハウジング１１の外面近傍に位置することになるから、コネクタハウジング１１の外側から穴２５を介して、より明瞭に表示（スプリング押し１６、詳細には突壁１６ｄ）の目視することができるといった利点がある。
そして、スプリング押し１６の、穴２５を介して見える部分を、光コネクタ１０の向き（接続方向性。換言すれば正しい挿入向き）を示す表示として目視確認し、この表示が所定の方向を向くようにして光コネクタ１０を雌形光コネクタ２５に挿入、接続することで、この光コネクタ１０の表裏を間違えること無く、接続作業を正しく行うことができる。これにより、光コネクタフェルール１２の接合端面１２ａに配列された複数本の光ファイバ（裸ファイバ２１ａ）を、相手側の光回線に正しく接続できる。
【００２０】
なお、図１（ａ）、（ｂ）〜図３等に示す、方向表示２６、２７は、雌形光コネクタに対する光コネクタ１０の挿入方向または抜き出し方向を示すものであるが、これら方向表示２６、２７は、カップリング１３やブーツ１８の樹脂成形によって形成されるものであり、印刷によるものでは無く、低コストで簡単に形成できるものである。
【００２１】
この光コネクタ１０によれば、スプリング押し１６の穴２５を介して見える部分を、光コネクタ１０の向き（接続方向）を示す表示として機能させているので、印刷による従来の表示のような磨耗によるカスレや消滅等の不都合が生じ難く、長期にわたって接続方向性等を明瞭に表示することができ、光コネクタアダプタ７に対する光コネクタ１０の逆差し防止等の機能を果たす。
【００２２】
図６は、具体例を示す。
図６に示すように、例えば、光コネクタアダプタ７に設けられた表示７ａと、光コネクタ１０の表示１０ａ（ここではコネクタハウジング１１の外側から穴２５を介して見えるスプリング押し１６）とが同じ向きであるときに、光コネクタアダプタ７に対して光コネクタ１０が正しい向きで接続されるように決めておけば、表示１０ａを確認するだけで光コネクタ１０の誤接続を容易に防止できる。表示１０ａは長期にわたって接続方向性等を明瞭に示すことができるから、長期の使用によっても、誤接続防止の機能を充分に果たすことができる。
また、光コネクタアダプタ７に対して光コネクタ１０とは逆の側から挿入される光コネクタ２８（光コネクタ１０と同様の構成のＭＰＯ形光コネクタプラグ。図６中区別のため符号２８を付した）についても、表示１０ａによって光コネクタアダプタ７に対する接続向きを決めておき、さらに、例えば、光コネクタアダプタ７を介して接続される両光コネクタ１０、２８の側部の表示１０ａが同じ向きであるときに、両光コネクタ１０、２８の光コネクタフェルール１２に配列されている複数本の光ファイバ（裸ファイバ２１ａ）が正しい組み合わせで接続されるようにしておくと、これら光コネクタ１０、２８同士の接続による光回線（光ファイバ）同士の接続を間違うことなく確実に行うことができる。この場合、光コネクタアダプタ７に設けた表示７ａがカスレ等により見えにくくなっても、例えば、先行して光コネクタアダプタ７に接続されている光コネクタ２８の表示１０ａを目印にすることで、光コネクタアダプタ７に対する光コネクタ１０の接続や切替接続等を行うことができるといった利点もある。光コネクタ２８の表示１０ａもカスレ等を生じにくく、長期にわたって接続方向性等を明瞭に示すことができるから、光コネクタアダプタ７側の表示として長期にわたって安定に機能させることができる。
【００２３】
なお、コネクタハウジングの穴を介して外側から見ることができ、表示として機能するコネクタハウジング内の収納部品としては、前記スプリング押し１６に限定されず、各種構成が採用可能である。但し、表示として機能する収納部品としては、コネクタハウジング内に固定され、動かないようになっているものを採用する。
コネクタハウジング内の収納部品の、コネクタハウジングに形成された穴を介して外側から見える部分によって形成される表示としては、前述のようにコネクタハウジングに対して識別が容易な色によって形成されるものであれば、例えば前記収納部品に形成した着色部、例えば、収納部品への塗料の注入、埋め込み、着色された部品の埋め込み、塗装、焼き付け、化学反応を利用した表面処理（ＣＶＤ等）などによって形成したものも採用可能である。着色部によって形成される表示も、コネクタハウジング内の収納部品に形成されることには変わりが無いので、コネクタハウジングによって保護され、カスレや消滅等の不都合を生じ難く、光コネクタの接続方向性等を長期にわたって明瞭に示すことができる。
また、前記表示が示すものとしては、前記接続方向性に限定されず、例えば、光コネクタの種類、心線数の分類、入出力等の接続回線の種類等であっても良く、数字、文字、記号等を形成するものであってもよって良い。
【００２４】
【発明の効果】
以上説明したように、本発明の光コネクタによれば、光コネクタフェルールが先端に設けられたスリーブ状のコネクタハウジングの側壁に形成された穴を介して、前記コネクタハウジングの外側から見える前記コネクタハウジング内の収納部品の色あるいは前記収納部品に設けた着色部によって、この光コネクタの接続方向性等を示す表示を形成した構成であるから、表示はコネクタハウジングによって保護されて、この光コネクタの接続作業時の摩擦等によるカスレや消滅といった不都合が防止され、前記接続方向性等を長期にわたって明瞭に示すことができる。
しかも、この表示は、コネクタハウジング内の収納部品の色あるいは着色部によって形成されるものであり、非常に簡単かつ安価な手法によって形成できるから、低コスト化が可能である。
また、前記コネクタハウジングの前記穴に位置する部分に、該コネクタハウジングの内面側を窪ませた形状の凹所が形成され、前記収納部品の前記凹所に挿入され前記コネクタハウジングの外側から前記穴を介して見える部分が、前記表示を形成しているため、前記収納部品の内、表示を形成する部分を、コネクタハウジングの外面にできるだけ近接させることができ、より明瞭に目視確認できるようになる。
また、本発明では、コネクタハウジング内に収納されたスプリング押しの、前記コネクタハウジングの側壁に形成された穴を介して外側から見える部分の色（スプリング押し自体の色あるいは前記スプリング押しに設けた着色部）によって、接続方向性等を示す表示を形成したから、前記表示はコネクタハウジングによって保護されて、長期にわたって、接続方向性等を明瞭に示す機能を維持できる。
しかも、コネクタハウジング内に固定されるスプリング押しを表示に利用するので、別途、表示の形成のための収納部品を設ける必要が無く、コストを大幅に増大させることなく、この光コネクタの接続方向性等を長期にわたって明瞭に示すことができる表示が得られるといった優れた効果を奏する。
【図面の簡単な説明】
【図１】  本発明の１実施の形態の光コネクタを示す図であって、（ａ）は部分破断図、（ｂ）は接続方向先端側から見た側面図である。
【図２】  図１の光コネクタを示す図であって、（ａ）は平面図、（ｂ）は側面図である。
【図３】  図１の光コネクタを示す分解図である。
【図４】  図１の光コネクタのコネクタハウジングを示す図であって、（ａ）は斜視図、（ｂ）は縦断面図である。
【図５】  図１の光コネクタに適用されるスプリング押しを示す斜視図である。
【図６】  図１の光コネクタを光コネクタアダプタに接続した状態を示す平面図であり、光コネクタ側の表示と光コネクタアダプタ側の表示とを一致させることで正しい向きで接続される例を示す。
【図７】  従来例の光コネクタを示す斜視図である。
【符号の説明】
１０，２８…光コネクタ（ＭＰＯ形光コネクタプラグ）、１０ａ…表示、１１…コネクタハウジング、１１ｄ…凹所、１２…光コネクタフェルール、１５…スプリング、１６…スプリング押し、１６ｄ…突壁、２５…穴。
【図１】
0004309036.tif 000002
【図２】
0004309036.tif 000003
【図３】
0004309036.tif 000004
【図４】
0004309036.tif 000005
【図５】
0004309036.tif 000006
【図６】
0004309036.tif 000007
【図７】
0004309036.tif 000008